(57)【要約】  【課題】  迅速な情報提供を行なうことが可能な情報提供システム、路側装置、車載情報端末装置、および情報提供方法を提供すること。  【解決手段】  路側装置１０は、ＤＳＲＣを用いて非ＩＰ系通信で通信エリアに進入した車両の車載装置２０と通信し、非要求型の情報を提供し、ＩＰ系通信で要求型の情報を提供する情報提供する。車載装置２０は、非要求型の情報及び要求型の情報を受信し、受信した情報をナビゲーション装置３０に送信する。ナビゲーション装置３０は車載装置２０からの情報を受信し、記憶し、表示する。通信不能なエリアに進入した後、ナビゲーション装置３０の記憶部３５に記憶している情報により情報を提供する。【選択図】  図１
2005241258.tif 000002
【特許請求の範囲】
【請求項１】
路側装置と、前記路側装置と狭域通信方式の通信が可能な車載装置と、を備え、
前記路側装置は、コンテンツ情報の接続先からコンテンツ情報を取得する情報取得手段と、前記コンテンツ情報の接続先を示す接続先情報を含む提供情報を記憶し、前記接続先情報と前記取得したコンテンツ情報とを対応付けて記憶する路側記憶手段と、通信領域に存在する車載装置との間で狭域通信の通信路を確立し、非ＩＰ系の通信手順に従って前記提供情報と前記接続先情報および前記コンテンツ情報とを送信する路側通信手段とを有し、
前記車載装置は、前記路側装置と狭域通信を行なう車載通信手段と、前記路側装置から送信された前記コンテンツ情報と前記接続先情報とを対応付けて記憶する車載記憶手段と、前記車載装置の動作に関する指示が入力される入力手段と、前記車載通信手段が前記路側装置から前記提供情報を受信したときに前記提供情報を出力し、前記入力手段によって接続先情報を指定した情報取得要求が入力されたときに、前記車載記憶手段に前記指定された接続先情報に対応付けられたコンテンツ情報が記憶されている場合、そのコンテンツ情報を読み出して出力する情報出力手段と、を有する情報提供システム。
【請求項２】
前記車載装置は、前記入力手段によって接続先情報を指定した情報取得要求が入力されたとき、前記接続先記憶手段に前記指定された接続先情報に対応付けられたコンテンツ情報が存在しない場合に、前記指定された接続先を指定して前記車載装置へ情報取得要求を出力する第一の情報取得要求出力手段をさらに備え、
前記車載通信手段は、前記第一の情報取得要求出力手段から前記情報取得要求が出力されると、前記路側装置へＩＰ系の通信手順に従って前記接続先を指定した前記情報取得要求を送信して前記路側装置とＩＰ系の通信手順に従った通信を開始し、
前記情報取得手段は、前記路側通信手段が前記車載装置からの前記情報取得要求を受信すると、前記指定された接続先からコンテンツ情報を取得し、前記路側通信手段は前記取得したコンテンツ情報を前記車載装置へＩＰ系の通信手順に従って送信する請求項１記載の情報提供システム。
【請求項３】
前記路側記憶手段は、位置情報とコンテンツ情報とを対応付けて記憶し、前記路側通信手段は前記通信路が確立された車載装置に対して前記位置情報と前記コンテンツ情報とを送信し、
前記車載装置は前記車載装置の現在位置を取得する現在位置取得手段をさらに有し、前記車載記憶手段は前記路側装置から送信された位置情報とコンテンツ情報とを対応付けて記憶し、前記情報出力手段は前記現在位置取得手段で取得された現在位置と前記記憶されている位置情報とを比較してその比較結果に応じて前記位置情報に対応付けられたコンテンツ情報を出力する請求項１または２記載の情報提供システム。
【請求項４】
前記路側記憶手段は、位置情報とコンテンツの接続先を示す接続先情報とを対応付けて記憶し、前記路側通信手段は前記通信路が確立された車載装置に対して前記位置情報と前記接続先情報とを送信し、
前記車載装置は、前記車載装置の現在位置を取得する現在位置取得手段と、位置情報に応じて情報取得要求を出力する第二の情報取得要求出力手段とをさらに備え、前記車載記憶手段は前記路側装置から送信された位置情報と接続先情報とを対応付けて記憶し、前記第二の情報取得要求出力手段は前記現在位置取得手段で取得された現在位置と前記記憶されている位置情報とを比較して、その比較結果に応じて前記位置情報に対応付けられた接続先情報のコンテンツ情報取得要求を出力する請求項１ないし３のいずれか一項記載の情報提供システム。
【請求項５】
前記路側装置は、前記情報取得手段に前記接続先から前記コンテンツ情報を定期的に取得させて、前記路側記憶手段に記憶されているコンテンツ情報を更新するコンテンツ情報更新手段をさらに有する請求項１ないし４のいずれか一項記載の情報提供システム。
【請求項６】
前記車載装置は、前記コンテンツ情報を受信したとき、前記記憶手段に前記受信したコンテンツ情報と同じコンテンツ情報が存在する場合に、前記同じコンテンツ情報に受信したコンテンツ情報を上書きするコンテンツ情報管理手段をさらに有する請求項１ないし５のいずれか一項記載の情報提供システム。
【請求項７】
コンテンツ情報の接続先からコンテンツ情報を取得する情報取得手段と、
前記コンテンツ情報の接続先を示す接続先情報を含む提供情報を記憶し、前記接続先情報と前記取得したコンテンツ情報とを対応付けて記憶する記憶手段と、
通信領域に存在する車載装置との間で狭域通信の通信路を確立し、非ＩＰ系の通信手順に従って前記提供情報と前記接続先情報および前記コンテンツ情報とを送信する通信手段と、
を備える路側装置。
【請求項８】
前記通信手段が前記車載装置からの情報取得要求を受信すると、前記情報取得手段は前記情報取得要求に含まれる接続先からコンテンツ情報を取得し、
前記通信手段は、前記取得したコンテンツ情報を前記車載装置へＩＰ系の通信手順に従って送信する請求項７記載の路側装置。
【請求項９】
前記記憶手段は、位置情報とコンテンツ情報とを対応付けて記憶し、
前記通信手段は前記車載装置に対して前記記憶された位置情報とコンテンツ情報とを送信する請求項７または８記載の路側装置。
【請求項１０】
前記記憶手段は位置情報とコンテンツの接続先を示す接続先情報とを対応付けて記憶し、
前記通信手段は前記車載装置に対して前記記憶された位置情報と接続先情報とを送信する請求項７ないし９のいずれか一項記載の路側装置。
【請求項１１】
前記情報取得手段に前記接続先から前記コンテンツ情報を定期的に取得させて、前記コンテンツ記憶手段に記憶されている情報を更新するコンテンツ情報更新手段をさらに備える請求項７ないし１０のいずれか一項記載の路側装置。
【請求項１２】
路側装置との情報の送信および受信のうち少なくとも一方が可能な車載情報端末装置において、
前記車載情報端末装置の動作に関する指示が入力される入力手段と、
前記路側装置から送信された、前記接続先情報と前記コンテンツ情報とを対応付けて記憶する記憶手段と、
前記路側装置からコンテンツ情報の接続先情報を示す接続先情報を含む提供情報が送信されたときに前記提供情報を出力し、前記入力手段によって接続先情報を指定した情報取得要求が入力されたときに、前記記憶手段に前記指定された接続先情報に対応付けられたコンテンツ情報が存在する場合、そのコンテンツ情報を読み出して出力する情報出力手段と、
を備える車載情報端末装置。
【請求項１３】
前記入力手段によって接続先情報を指定した情報取得要求が入力されたとき、前記接続先記憶手段に前記指定された接続先情報に対応付けられたコンテンツ情報が存在しない場合に、前記指定された接続先を指定して情報取得要求を出力する第一の情報取得要求出力手段をさらに備える請求項１２記載の車載情報端末装置。
【請求項１４】
前記車載情報端末装置の現在位置を取得する現在位置取得手段をさらに備え、
前記記憶手段は、前記路側装置から送信された位置情報とコンテンツ情報とを対応付けて記憶し、
前記情報出力手段は、前記現在位置取得手段で取得された現在位置と前記記憶されている位置情報とを比較してその比較結果に応じて前記位置情報に対応付けられたコンテンツ情報を出力する請求項１２または１３記載の車載情報端末装置。
【請求項１５】
前記車載情報端末装置の現在位置を取得する現在位置取得手段と、
位置情報に応じて情報取得要求を出力する第二の情報取得要求出力手段と、
をさらに備え、
前記記憶手段は、前記路側装置から送信された位置情報と接続先情報とを対応付けて記憶し、
前記第二の情報取得要求出力手段は、現在位置取得手段で取得された現在位置と前記記憶されている位置情報とを比較して、その比較結果に応じて前記位置情報に対応付けられた接続先情報のコンテンツ情報取得要求を出力する請求項１２ないし１４のいずれか一項記載の車載情報端末装置。
【請求項１６】
前記コンテンツ情報を受信したとき、前記記憶手段に前記受信したコンテンツ情報と同じコンテンツ情報が存在する場合に、前記同じコンテンツ情報に受信したコンテンツ情報を上書きするコンテンツ情報管理手段をさらに備える請求項１２ないし１５のいずれか一項記載の車載情報端末装置。
【請求項１７】
コンテンツの接続先を示す接続先情報を含む提供情報を記憶するステップと、
前記コンテンツの接続先からコンテンツ情報を取得するステップと、
前記接続先情報と前記取得したコンテンツ情報とを対応付けて記憶するステップと、
通信領域に存在する車載装置との間で狭域通信の通信路を確立し、非ＩＰ系の通信手順に従って前記提供情報と前記接続先情報および前記コンテンツ情報とを送信するステップと、
を備える情報提供方法。
【請求項１８】
路側装置と情報の送信および受信の少なくとも一方が可能な車載情報端末装置による情報提供方法において、
前記路側装置から送信されたコンテンツの接続先を示す接続先情報を含む提供情報と、前記コンテンツ情報および前記接続先情報とを受信するステップと、
前記コンテンツ情報と前記接続先情報とを対応付けて記憶するステップと、
前記提供情報を受信すると、前記提供情報を出力するステップと、
接続先情報を指定した情報取得要求が入力された場合に、前記指定された接続先情報に対応付けられたコンテンツ情報が記憶されている場合、前記記憶されているコンテンツ情報を読み出して出力するステップと、
を備える情報提供方法。
【請求項１９】
コンピュータに、請求項１７または１８記載の各ステップを実行させるための情報提供プログラム。
【発明の詳細な説明】
【技術分野】
【０００１】
本発明は、情報提供システム、路側装置、車載情報端末装置、および情報提供方法に関する。
【背景技術】
【０００２】
近年、狭域通信（ＤＳＲＣ：Dedicated Short Range Communication）を用いて路側装置と車両に搭載された車載装置との間で無線通信を行なう通信システムが普及しつつある。このような通信システムは、道路等に設置された無線設備である路側装置と、車両に搭載された無線設備である車載装置とにより構成され、路側装置と車載装置の間を双方向または片方向に無線通信を行なうことにより実現される。
【０００３】
車載装置側では、ＩＣカードの利用等により個人識別情報を送信することも可能であり、路側装置を種々の情報センタなどと結ぶことで、さまざまな情報の提供が可能であり、このようなシステムにより有料道路の料金収受、道路情報の提供、地域施設情報の取得などを行なうことが可能である。車載装置には、そのさまざまな情報を表示するディスプレーとしてナビゲーション装置を設置することがある。
【０００４】
従来の情報提供システムは、道路や駐車場等のインフラ側の所定箇所に配置される無線／ＤＳＲＣアンテナ（路側アンテナ）を有する路側無線装置と、車側に搭載され且つ路側無線装置との間でＤＳＲＣに基づく双方向通信が可能な車載機とを備えている。また、このシステムは、車載機に対して路側無線装置を介してお店・レストラン等の宣伝、予約やその駐車場情報、あるいはその近郊に限定された観光情報などの広告情報を提供する情報サーバとを備えて構成される。また、携帯電話等を用いてＷＷＷサーバにアクセスするようなＩＰ系の通信を行なうことができる（例えば、特許文献１参照）。
【特許文献１】特開２００１−１０１５７８号公報
【発明の開示】
【発明が解決しようとする課題】
【０００５】
しかしながら、上記従来の情報提供システムにあっては、広告情報等の決まった情報の提供しか行なえず、情報提供の拡張性がないという事情があった。また、ＩＰ通信を行って情報を取得する場合には、クライアント−サーバ構造のため、情報の取得に時間を要するという事情があった。
【０００６】
本発明は、上記従来の事情に鑑みてなされたものであって、迅速な情報提供を行なうことが可能な情報提供システム、路側装置、車載情報端末装置、および情報提供方法を提供することを目的とする。
【課題を解決するための手段】
【０００７】
本発明の情報提供システムは、路側装置と、前記路側装置と狭域通信方式の通信が可能な車載装置と、を備え、
前記路側装置は、コンテンツ情報の接続先からコンテンツ情報を取得する情報取得手段と、前記コンテンツ情報の接続先を示す接続先情報を含む提供情報を記憶し、前記接続先情報と前記取得したコンテンツ情報とを対応付けて記憶する路側記憶手段と、通信領域に存在する車載装置との間で狭域通信の通信路を確立し、非ＩＰ系の通信手順に従って前記提供情報と前記接続先情報および前記コンテンツ情報とを送信する路側通信手段とを有し、
前記車載装置は、前記路側装置と狭域通信を行なう車載通信手段と、前記路側装置から送信された前記コンテンツ情報と前記接続先情報とを対応付けて記憶する車載記憶手段と、前記車載装置の動作に関する指示が入力される入力手段と、前記車載通信手段が前記路側装置から前記提供情報を受信したときに前記提供情報を出力し、前記入力手段によって接続先情報を指定した情報取得要求が入力されたときに、前記車載記憶手段に前記指定された接続先情報に対応付けられたコンテンツ情報が記憶されている場合、そのコンテンツ情報を読み出して出力する情報出力手段と、を有する。
【０００８】
この構成により、路側装置と車載装置との間の通信路が確立すると、路側装置は車載装置へ非ＩＰ系の通信手順に従って第一の提供情報とともにその接続先のコンテンツ情報も車載装置に提供するので、迅速な情報提供を行なうことができる。
【０００９】
また、上記の情報提供システムにおいて、
前記車載装置は、前記入力手段によって接続先情報を指定した情報取得要求が入力されたとき、前記接続先記憶手段に前記指定された接続先情報に対応付けられたコンテンツ情報が存在しない場合に、前記指定された接続先を指定して前記車載装置へ情報取得要求を出力する第一の情報取得要求出力手段をさらに備え、
前記車載通信手段は、前記第一の情報取得要求出力手段から前記情報取得要求が出力されると、前記路側装置へＩＰ系の通信手順に従って前記接続先を指定した前記情報取得要求を送信して前記路側装置とＩＰ系の通信手順に従った通信を開始し、
前記情報取得手段は、前記路側通信手段が前記車載装置からの前記情報取得要求を受信すると、前記指定された接続先からコンテンツ情報を取得し、前記路側通信手段は前記取得したコンテンツ情報を前記車載装置へＩＰ系の通信手順に従って送信する。
【００１０】
この構成により、狭域通信路を介してＩＰ通信を行なって情報提供することにより、情報提供の拡張性を実現することができる。
【００１１】
また、上記の情報提供システムにおいて、
前記路側記憶手段は、位置情報とコンテンツ情報とを対応付けて記憶し、前記路側通信手段は前記通信路が確立された車載装置に対して前記位置情報と前記コンテンツ情報とを送信し、
前記車載装置は前記車載装置の現在位置を取得する現在位置取得手段をさらに有し、前記車載記憶手段は前記路側装置から送信された位置情報とコンテンツ情報とを対応付けて記憶し、前記情報出力手段は前記現在位置取得手段で取得された現在位置と前記記憶されている位置情報とを比較してその比較結果に応じて前記位置情報に対応付けられたコンテンツ情報を出力する。
【００１２】
この構成により、例えば車載装置が狭域通信圏外に存在する場合でも、その現在位置に即した情報を提供することができる。
【００１３】
また、上記の情報提供システムにおいて、前記路側記憶手段は、位置情報とコンテンツの接続先を示す接続先情報とを対応付けて記憶し、前記路側通信手段は前記通信路が確立された車載装置に対して前記位置情報と前記接続先情報とを送信し、
前記車載装置は、前記車載装置の現在位置を取得する現在位置取得手段と、位置情報に応じて情報取得要求を出力する第二の情報取得要求出力手段とをさらに備え、前記車載記憶手段は前記路側装置から送信された位置情報と接続先情報とを対応付けて記憶し、前記第二の情報取得要求出力手段は前記現在位置取得手段で取得された現在位置と前記記憶されている位置情報とを比較して、その比較結果に応じて前記位置情報に対応付けられた接続先情報のコンテンツ情報取得要求を出力する。
【００１４】
この構成により、車載情報端末装置の現在位置に即した情報を自動的に取得するため、迅速にその情報を提供することができる。
【００１５】
また、上記の情報提供システムにおいて、前記路側装置は、前記情報取得手段に前記接続先から前記コンテンツ情報を定期的に取得させて、前記路側記憶手段に記憶されているコンテンツ情報を更新するコンテンツ情報更新手段をさらに有する。
【００１６】
この構成により、記憶されているコンテンツ情報を定期的に更新するので、より新しいコンテンツ情報を迅速に提供することができる。
【００１７】
また、上記の情報提供システムにおいて、前記車載装置は、前記コンテンツ情報を受信したとき、前記記憶手段に前記受信したコンテンツ情報と同じコンテンツ情報が存在する場合に、前記同じコンテンツ情報に受信したコンテンツ情報を上書きするコンテンツ情報管理手段をさらに有する。
【００１８】
この構成により、例えば、第一の狭域通信領域から第二の狭域通信領域へ移動した場合に、第一の狭域通信領域で受信して記憶した情報に情報の追加を行なうことができる。
【００１９】
本発明の路側装置は、
コンテンツ情報の接続先からコンテンツ情報を取得する情報取得手段と、
前記コンテンツ情報の接続先を示す接続先情報を含む提供情報を記憶し、前記接続先情報と前記取得したコンテンツ情報とを対応付けて記憶する記憶手段と、
通信領域に存在する車載装置との間で狭域通信の通信路を確立し、非ＩＰ系の通信手順に従って前記提供情報と前記接続先情報および前記コンテンツ情報とを送信する通信手段と、
を備える。
【００２０】
この構成により、路側装置と車載装置との間の通信路が確立すると、路側装置は車載装置へ非ＩＰ系の通信手順に従って第一の提供情報とともにその接続先のコンテンツ情報も車載装置に提供するので、迅速な情報提供を行なうことができる。
【００２１】
また、上記の路側装置において、
前記通信手段が前記車載装置からの情報取得要求を受信すると、前記情報取得手段は前記情報取得要求に含まれる接続先からコンテンツ情報を取得し、
前記通信手段は、前記取得したコンテンツ情報を前記車載装置へＩＰ系の通信手順に従って送信する。
【００２２】
この構成により、狭域通信路を介してＩＰ通信を行なって情報提供することにより、情報提供の拡張性を実現することができる。
【００２３】
また、上記の路側装置において、
前記記憶手段は、位置情報とコンテンツ情報とを対応付けて記憶し、
前記通信手段は前記車載装置に対して前記記憶された位置情報とコンテンツ情報とを送信する。
【００２４】
この構成により、コンテンツ情報に位置情報を対応付けて車載側に提供することができる。
【００２５】
また、上記の路側装置において、
前記記憶手段は位置情報とコンテンツの接続先を示す接続先情報とを対応付けて記憶し、
前記通信手段は前記車載装置に対して前記記憶された位置情報と接続先情報とを送信する。
【００２６】
この構成により、コンテンツの接続先情報に位置情報を対応付けて車載側に提供することができる。
【００２７】
また、上記の路側装置において、前記情報取得手段に前記接続先から前記コンテンツ情報を定期的に取得させて、前記コンテンツ記憶手段に記憶されている情報を更新するコンテンツ情報更新手段をさらに備える。
【００２８】
この構成により、記憶されているコンテンツ情報を定期的に更新するので、より新しいコンテンツ情報を迅速に提供することができる。
【００２９】
本発明の車載情報端末装置は、路側装置との情報の送信および受信のうち少なくとも一方が可能な車載情報端末装置において、
前記車載情報端末装置の動作に関する指示が入力される入力手段と、
前記路側装置から送信された、前記接続先情報と前記コンテンツ情報とを対応付けて記憶する記憶手段と、
前記路側装置からコンテンツ情報の接続先情報を示す接続先情報を含む提供情報が送信されたときに前記提供情報を出力し、前記入力手段によって接続先情報を指定した情報取得要求が入力されたときに、前記記憶手段に前記指定された接続先情報に対応付けられたコンテンツ情報が存在する場合、そのコンテンツ情報を読み出して出力する情報出力手段と、
を備える。
【００３０】
この構成により、第一の提供情報と共に、接続先情報に対応付けてコンテンツ情報も予め提供されるので、迅速な情報提供を行なうことができる。
【００３１】
また、上記の車載情報端末装置において、前記入力手段によって接続先情報を指定した情報取得要求が入力されたとき、前記接続先記憶手段に前記指定された接続先情報に対応付けられたコンテンツ情報が存在しない場合に、前記指定された接続先を指定して情報取得要求を出力する第一の情報取得要求出力手段をさらに備える。
【００３２】
この構成により、記憶されていない情報を取得する場合に車載装置へ情報取得要求を行なうことで、情報提供の拡張性を実現することができる。
【００３３】
また、上記の車載情報端末装置において、
前記車載情報端末装置の現在位置を取得する現在位置取得手段をさらに備え、
前記記憶手段は、前記路側装置から送信された位置情報とコンテンツ情報とを対応付けて記憶し、
前記情報出力手段は、前記現在位置取得手段で取得された現在位置と前記記憶されている位置情報とを比較してその比較結果に応じて前記位置情報に対応付けられたコンテンツ情報を出力する。
【００３４】
この構成により、例えば車載装置が狭域通信圏外にある存在する場合でも、その現在位置に即した情報を提供することができる。
【００３５】
また、上記の車載情報端末装置において、
前記車載情報端末装置の現在位置を取得する現在位置取得手段と、
位置情報に応じて情報取得要求を出力する第二の情報取得要求出力手段と、
をさらに備え、
前記記憶手段は、前記路側装置から送信された位置情報と接続先情報とを対応付けて記憶し、
前記第二の情報取得要求出力手段は、現在位置取得手段で取得された現在位置と前記記憶されている位置情報とを比較して、その比較結果に応じて前記位置情報に対応付けられた接続先情報のコンテンツ情報取得要求を出力する。
【００３６】
この構成により、車載情報端末装置の現在位置に即した情報を自動的に取得するため、迅速にその情報を提供することができる。
【００３７】
また、上記の車載情報端末装置において、前記コンテンツ情報を受信したとき、前記記憶手段に前記受信したコンテンツ情報と同じコンテンツ情報が存在する場合に、前記同じコンテンツ情報に受信したコンテンツ情報を上書きするコンテンツ情報管理手段をさらに備える。
【００３８】
この構成により、例えば、第一の狭域通信領域から第二の狭域通信領域へ移動した場合に、第一の狭域通信領域で受信して記憶した情報に情報の追加を行なうことができる。
【００３９】
本発明の情報提供方法は、
コンテンツの接続先を示す接続先情報を含む提供情報を記憶するステップと、
前記コンテンツの接続先からコンテンツ情報を取得するステップと、
前記接続先情報と前記取得したコンテンツ情報とを対応付けて記憶するステップと、
通信領域に存在する車載装置との間で狭域通信の通信路を確立し、非ＩＰ系の通信手順に従って前記提供情報と前記接続先情報および前記コンテンツ情報とを送信するステップと、
を備える。
【００４０】
この方法により、車載装置との間の通信路が確立すると、車載装置へ非ＩＰ系の通信手順に従って第一の提供情報とともにその接続先のコンテンツ情報も車載装置に提供するので、迅速な情報提供を行なうことができる。
【００４１】
本発明の情報提供方法は、路側装置と情報の送信および受信の少なくとも一方が可能な車載情報端末装置による情報提供方法において、
前記路側装置から送信されたコンテンツの接続先を示す接続先情報を含む提供情報と、前記コンテンツ情報および前記接続先情報とを受信するステップと、
前記コンテンツ情報と前記接続先情報とを対応付けて記憶するステップと、
前記提供情報を受信すると、前記提供情報を出力するステップと、
接続先情報を指定した情報取得要求が入力された場合に、前記指定された接続先情報に対応付けられたコンテンツ情報が記憶されている場合、前記記憶されているコンテンツ情報を読み出して出力するステップと、
を備える。
【００４２】
この方法により、第一の提供情報と共に、接続先情報に対応付けてコンテンツ情報も予め提供されるので、迅速な情報提供を行なうことができる。
【００４３】
本発明は、コンピュータに上記の方法の各ステップを実行させるための情報提供プログラムを提供するものである。
【００４４】
このプログラムにより、迅速な情報提供を行なうことができる。
【発明の効果】
【００４５】
本発明によれば、迅速な情報提供を行なうことが可能な情報提供システム、路側装置、車載装置、車載情報端末装置、および情報提供方法を提供することができる。
【発明を実施するための最良の形態】
【００４６】
図１は、本発明の実施形態の情報提供システムの概略構成を示す図である。図１に示すように、本実施形態の情報提供システムは、路側装置１０と、路側装置１０とＤＳＲＣを用いて無線通信を行なう車載装置２０と、車載装置２０に接続された車載情報端末装置の一例としてのナビゲーション装置３０とを備える。
【００４７】
路側装置１０は、アンテナ１１と、無線部１２と、制御部１３と、外部ＩＦ部１４と、記憶部１５と、操作部１６と、表示部１７とを有する。
【００４８】
アンテナ１１は、狭域無線通信に用いられるアンテナであり、車載装置２０との通信は、このアンテナを介して行われる。無線部１２は、高周波信号の送信及び受信の少なくとも一方を行なう回路部分である。制御部１３は、ＤＳＲＣ（狭域通信）のＩＰ系通信および非ＩＰ系通信の処理装置及びＣＰＵが含まれ、無線通信の制御を始めとする情報処理全般を行なう。外部ＩＦ１４は、外部ルータ４０などと接続するためのインターフェースである。記憶部１５は、各種プログラム及び情報提供画面データ等の各種データを記憶する。操作部１６は、各種データを入力する手段である。表示部１７は、路側装置１０の処理状態や指示警告情報などを表示する手段である。
【００４９】
図２は、記憶部１５の記憶内容を示す図である。図２に示すように、記憶部１５はＤＳＲＣ用プログラム１５１と、コンテンツ情報蓄積部１５２と、コンテンツ情報ファイル管理プログラム１５３と、コンテンツ情報更新プログラム１５４とを備える。
【００５０】
ＤＳＲＣ用プログラム１５１は、ＤＳＲＣ通信に関するプログラムである。コンテンツ情報更新プログラム１５４は、定期的にＷＷＷサーバ５０に情報更新要求を出すためのプログラムである。コンテンツ情報蓄積部１５２は情報更新要求に対してＷＷＷサーバ５０から取得した更新情報を記憶する。コンテンツ情報ファイル管理プログラム１５３は、ＷＷＷサーバからの情報の記憶場所を管理するためのプログラムである。そして、制御部１３は、これらのプログラムを含む所定のプログラムによって動作するプロセッサを主体に構成される。
【００５１】
車載装置２０は、図１に示すように、アンテナ２１と、無線部２２と、制御部２３と、外部ＩＦ２４と、ＳＡＭ（Security Access Module）２５と、操作表示部２６と、ＩＣカードＩＦ部２７とを有する。
【００５２】
アンテナ２１は、無線通信に用いられるアンテナであり、路側装置１０との通信はこのアンテナを介して行われる。無線部２２は、高周波信号の送信および受信の少なくとも一方を行なう回路部分である。制御部２３は、ＤＳＲＣ（狭域通信）処理装置及びＣＰＵが含まれ、無線通信の制御、ＩＣカードの制御を始めとする情報処理全般を行なう。外部ＩＦ２４は、車載装置２０をナビゲーション装置３０と接続するための外部通信インターフェースである。ＳＡＭ２５は、車載装置２０に接続されたＩＣカード２８における個人情報等の認証を行なう。操作表示部２６は、車載装置２０の状態を示すＬＥＤやスピーカー、暗証番号等を入力するための入力装置等である。ＩＣカードＩＦ部２７は、ＩＣカード２８と接続するためのインターフェースである。ＩＣカード２８には、ユーザの契約情報や車のＩＤ情報等が記録されている。
【００５３】
ナビゲーション装置３０は、位置情報検出部３１と、表示部３２と、制御部３３と、外部ＩＦ３４と、記憶部３５と、操作部３６と有する。
【００５４】
位置情報検出部３１は、図示しないＧＰＳアンテナ等によりＧＰＳ信号の受信などによる車の位置を検出する。制御部３３は、記憶部３５に記憶されている各種プログラムを読み出して実行し、ナビゲーション装置３０の各部を駆動制御する。外部ＩＦ３４は、車載装置２０と接続するための外部通信インターフェースである。記憶部３５は、制御部３３により実行されるナビゲーション装置３０の各種アプリケーションプログラム、及びこれらのプログラムに係るデータ等を記憶する。操作部３６は、文字キー、数字キー、検索キーの他、ナビゲーション利用などの各種機能に対応付けられた各種キーを備え、操作されたキーに対応する操作信号を制御部３３に出力する。表示部３２は、カラー液晶ディスプレー等により構成され、操作部３６を介して入力される入力内容や、制御部３３から入力されるナビゲーション用の表示情報を表示する。
【００５５】
図３は、記憶部３５の記憶内容を示す図である。この図３に示すように、記憶部３５は、ナビゲーション用プログラム３５１と、インターネットブラウザ３５２と、位置情報−コンテンツテーブル３５３と、コンテンツ情報蓄積部３５４と、コンテンツファイル管理プログラム３５５と、コンテンツ情報外部ＩＦ起動プログラム３５６と、位置情報によるコンテンツ情報起動プログラム３５７と、表示処理プログラム３５８と、インターネット一時ディレクトリ３５９とを備える。
【００５６】
ナビゲーション用プログラム３５１は、現在位置検出処理、経路探索処理、選局処理等の各種処理などに関するナビゲーション用の各種アプリケーションプログラムである。
【００５７】
インターネットブラウザ３５２は、インターネットからのコンテンツを表示するためのブラウザである。
【００５８】
位置情報−コンテンツテーブル３５３は、位置情報とその位置情報に対応するコンテンツの対応関係を示すテーブルである。車載装置２０からの非要求型情報における位置情報付きコンテンツファイルの位置情報およびコンテンツはこの位置情報−コンテンツテーブル３５３に記憶される。
【００５９】
コンテンツ情報蓄積部３５４は、車載装置２０からの非要求型情報におけるコンテンツ接続先情報の一例であるＵＲＬ（Uniform Resource Locator）情報を含む、ＵＲＬ情報提供画面データを記憶する。
【００６０】
コンテンツファイル管理プログラム３５５は、車載装置２０からの非要求型情報の記憶場所を管理する。
【００６１】
コンテンツ情報外部ＩＦ起動プログラム３５６は、外部ＩＦ部３４から入力されたＵＲＬ付情報提供画面データを起動し、表示させる。
【００６２】
位置情報検出部３１により車両が位置情報−コンテンツテーブル３５３に蓄積された位置情報のエリアに進入したと検出された場合、位置情報によるコンテンツ情報起動プログラム３５７により、その位置に対応するコンテンツが起動する。
【００６３】
表示処理プログラム３５８は、ナビ用プログラム３５１、インターネットブラウザ３５２、コンテンツ情報外部ＩＦ起動プログラム３５６、位置情報によるコンテンツ情報起動プログラム３５７等により指示された表示内容を表示部３２に表示するための処理を行なう。
【００６４】
インターネット一時ディレクトリ３５９は、車載装置２０からの非要求型情報における送付ＵＲＬのコンテンツファイルを一時的に記憶する。
【００６５】
図４は、位置情報−コンテンツテーブル３５３に記憶する位置情報およびその位置情報に対応するコンテンツの例を示す図である。図４において、例えば、位置情報は「東経１３９度北緯３５度」であるとき、コンテンツは「東京情報」となり、位置情報検出部３１により検出された位置情報は「東経１３９度北緯３５度」であると、コンテンツ「東京情報」が起動する。
【００６６】
図５は、車両の状態を示す図である。図５において、タイプＡは、車両が初めて通信領域に入るタイプである。タイプＢは、車両が一度通信領域に入った後、通信領域外に出たタイプである。タイプＣは、車両がすでに一度通信領域に入ったことがあり、再度通信領域に入ったタイプである。
【００６７】
以上のように構成された情報提供システムについて、図６〜１２を用いてその各タイプの動作を説明する。
【００６８】
まず、図６および図７を用いてタイプＡの動作を説明する。路側装置１０は、コンテンツ情報更新プログラム１５４の動作により、ルータ４０及びインターネットを経由してＷＷＷサーバに対して定期的にコンテンツ情報更新を要求する（ステップ６０１）。ＷＷＷサーバは、路側装置１０からのコンテンツ更新要求を受け取り、新たなコンテンツ情報を提供する（ステップ６０２）。そして、路側装置１０は、ＷＷＷサーバからの新たなコンテンツ情報を受信し、コンテンツ情報管理プログラム１５３により、コンテンツ情報蓄積部１５２にその新たなコンテンツ情報が記憶される（ステップ６０３）。
【００６９】
また、路側装置１０は、ＤＳＲＣを用いて非ＩＰ系通信で常に通信エリアに進入した車両があるかを判断する（ステップ６０４）。ここの判断は、路側装置１０が存在問い合わせを行い、存在する回答がある場合、通信エリアに進入した車両があると判定し、存在する回答がない場合、通信エリアに進入した車両がないと判定する。通信エリアに進入した車両がないと判定した場合には、再び存在問い合わせを行なう。
【００７０】
ステップ６０４において、路側装置１０の問い合わせに対して存在する回答がある場合、通信エリアに進入した車両があると判定し、路側装置１０は進入した車両の車載装置２０との間の通信路を確立し、無線部１２及びアンテナ１１を介して進入した車両の車載装置２０に対してＵＲＬ付き情報提供画面データを送信する（ステップ６０５）。この情報提供画面データは、記憶部１５に記憶されているものであるが、この情報提供画面データは、コンテンツ情報と同様にＷＷＷサーバから定期的に更新してもよいし、専用サーバ装置等から情報を更新してもよい。
【００７１】
通信エリアに進入した車両の車載装置２０は、路側装置１０との通信路が確立した後、路側装置１０から送信されてくるＵＲＬ付き情報提供画面データをアンテナ２１及び無線部２２を介して受信すると、また、その受信したＵＲＬ付き情報提供画面データを外部ＩＦ２４を介してナビゲーション装置３０に転送する（ステップ６０６）。
【００７２】
ナビゲーション装置３０は、転送されたＵＲＬ付き情報提供画面データを外部ＩＦ３４を介して受信すると、コンテンツファイル管理プログラム３５５により、記憶部３５のコンテンツ情報蓄積部３５４にＵＲＬ付き情報提供画面データを蓄積する（ステップ６０７）。
【００７３】
また、路側装置１０は、車載装置２０に対してＵＲＬ付き情報提供画面データに含まれたＵＲＬである、送付ＵＲＬのコンテンツファイルを送信する（ステップ６０８）。
【００７４】
車載装置２０は、路側装置１０からの送付ＵＲＬのコンテンツファイルを受信すると、また、その受信した送付ＵＲＬのコンテンツファイルを外部ＩＦ２４を介してナビゲーション装置３０に転送する（ステップ６０９）。
【００７５】
ナビゲーション装置３０は、転送された送付ＵＲＬのコンテンツファイルを外部ＩＦ３４を介して受信すると、コンテンツファイル管理プログラム３５５により、記憶部３５のインターネット一次ディレクトリ３５９に送付ＵＲＬのコンテンツファイルを蓄積する（ステップ６１０）。
【００７６】
さらに、路側装置１０は、車載装置２０に対して位置情報付きコンテンツファイルを送信する（ステップ６１１）。この位置情報付きコンテンツファイルは、予め位置情報とコンテンツ情報を対応付けて記憶部１５に記憶されている。さらに、コンテンツファイルがインターネット上に存在する場合には、さらにＵＲＬを対応付け、路側装置が定期的にこの位置情報に対応付けられたコンテンツファイルを更新してもよい。
【００７７】
また、車載装置２０は、路側装置１０からの位置情報付きコンテンツファイルを受信すると、外部ＩＦ２４を介してナビゲーション装置３０に対して受信した位置情報付きコンテンツファイルを送信する（ステップ６１２）。
【００７８】
ナビゲーション装置３０は、外部ＩＦ３４を介して車載装置２０からの位置情報付きコンテンツファイルを受信し、記憶部３５のコンテンツ情報ファイル管理プログラム３５５により、位置情報−コンテンツテーブル３５３にその受信した位置情報付きコンテンツファイルを記憶させる（ステップ６１３）。
【００７９】
そして、ナビゲーション装置３０は、ＵＲＬ付き情報提供画面データを受信すると、コンテンツ情報外部ＩＦ起動プログラム３５６により、外部ＩＦ３４から入力されたＵＲＬ付情報提供画面データを表示する（ステップ６１４、以降図７参照）。図８は、ナビゲーション装置３０の表示部３２に表示する表示画面の例を示す。
【００８０】
そして、ユーザから、ＵＲＬを指定した情報取得要求の有無を判断する（ステップ６１５）。そして、情報取得要求がある場合には、その指定されたＵＲＬ、または、そのＵＲＬのコンテンツファイルがインターネット一次ディレクトリ３５９に記憶されているか否かを判断する（ステップ６１６）。そして、指定されたＵＲＬがインターネット一次ディレクトリ３５９に記憶されている場合には、その記憶されているＵＲＬのコンテンツファイルを表示し（ステップ６１７）、記憶されていない場合にはステップ６１８に進む。
【００８１】
たとえば、ユーザが、ナビゲーション装置３０の操作部３６により、送付されたＵＲＬをクリックし、次のＵＲＬ情報取得を要求した場合（ステップ６１５のＹ）、例えば、ユーザは図８に示す画面上の「観光案内：ＷＷＷ．ＯＯＯ」のところをクリックすると（ステップ６１５のＹ）、そのＵＲＬのファイルは既に記憶部３５のインターネット一時ディレクトリ３５９に記憶されているので（ステップ６１６のＹ）、インターネットブラウザ３５２が自動的に立ち上がり、そのファイルが表示される（ステップ６１７）。
【００８２】
そして、図９は、ナビゲーション装置３０の表示部３２に表示された送付ＵＲＬのコンテンツファイルの例を示す。ユーザは画面の「詳細はここをクリック↓」をクリックすると、そのクリックされた場所に対応するＵＲＬ情報の取得が要求される（ステップ６１５のＹ）。
【００８３】
そして、その詳細な情報のファイルがインターネット一時ディレクトリ３５９に記憶されていない場合（ステップ６１６のＮ）、指定されたＵＲＬの情報取得を外部ＩＦ３４を介して車載装置２０へ要求する（ステップ６１８）。車載装置２０は、外部ＩＦ２４を介してナビゲーション装置３０からの情報取得要求を受け、無線部２２及びアンテナ２１を介して、ＩＰ系の通信手順に従って路側装置１０に指定したＵＲＬ情報取得を要求する（ステップ６１９）。
【００８４】
路側装置１０は、アンテナ１１及び無線部１２を介してＩＰ通信で車載装置２０からの情報取得要求を受け、ルータ４０及びインターネットを介してＷＷＷサーバに指定したＵＲＬ情報取得を要求する（ステップ６２０）。
【００８５】
ＷＷＷサーバは、路側装置１０からの指定したＵＲＬ情報取得要求を受け、指定したＵＲＬの情報を転送する（ステップ６２１）。
【００８６】
路側装置１０は、ルータ４０及びインターネットを介してＷＷＷサーバからの指定したＵＲＬの情報を受け取り、無線部１２及びアンテナ１１を介してＩＰ系通信で車載装置２０に転送する（ステップ６２２）。
【００８７】
車載装置２０は、アンテナ２１及び無線部２２を介してＩＰ系通信で路側装置１０からの指定したＵＲＬの情報を受け取り、外部ＩＦ２４を介してナビゲーション装置３０に転送する（ステップ６２３）。
【００８８】
ナビゲーション装置３０は、外部ＩＦ３４により車載装置２０からのクリックしたＵＲＬの情報を受け取り、表示部３２により表示する（ステップ６２４）。図１０は、ナビゲーション装置３０の表示部３２に表示された、クリックしたＵＲＬのコンテンツの例を示したものである。
【００８９】
以上のように、路側装置１０は、非ＩＰ系通信により、通信エリアに進入した車両の有無に関する問い合わせ及び通信エリアに進入した車両がある場合、通信エリアに進入した車両に非要求型情報の送信を行い、ＩＰ系通信により指定した情報の転送要求および指定した情報の転送を行なう。これにより、非ＩＰ系とＩＰ系のコンテンツ情報ともに参照でき、車側のドライバに対して、迅速に情報を提供することができる。
【００９０】
次に、図１１を用いてタイプＢの動作を説明する。
【００９１】
まず、位置情報によるコンテンツ情報起動プログラム２７は、位置情報検出部３１による検出した位置情報を位置情報−コンテンツテーブル３５３の位置情報とを比較し、位置情報−コンテンツテーブル３５３に蓄積された位置情報のエリアに進入したかを判断する（ステップ１１０１）。
【００９２】
ステップ１１０１において、蓄積された位置情報のエリアに進入していないと判定した場合、ステップ１１０１を蓄積された位置情報のエリアに進入するまで繰り返す。
【００９３】
一方、ステップ１１０１において、蓄積された位置情報のエリアに進入したと判定した場合、位置情報によるコンテンツ情報起動プログラム３５７により、そのコンテンツファイルが起動する（ステップ１１０２）。図１２は、ナビゲーション装置３０の表示部３２に表示するコンテンツファイルが起動した後の表示画面の例を示す。
【００９４】
図１３は、位置情報によるコンテンツ情報起動プログラム３５７の動作概要を示す。図１３に示すように、位置情報によるコンテンツ情報起動プログラム３５７は、定期的にナビゲーション用プログラム３５１に対して位置情報を要求する。
【００９５】
ナビゲーション用プログラム３５１は、位置情報検出部３１による検出した位置情報を位置情報によるコンテンツ情報起動プログラム３５７に対して提供する。
【００９６】
位置情報によるコンテンツ情報起動プログラム３５７は、ナビゲーション用プログラム３５１からの位置情報を取得し、取得した位置情報と位置情報−コンテンツテーブル３５３とを比較する。
【００９７】
比較の結果、位置情報−コンテンツテーブル３５３に取得した位置情報と一致する位置情報が存在する場合、コンテンツを起動する。
【００９８】
以上のように、タイプＢにおいて、位置情報に対応付けられた蓄積されたコンテンツを起動することにより、車両が路側装置との通信不能なエリアに進入した後でも、情報提供が可能となる。
【００９９】
なお、位置情報にコンテンツファイルを対応付けるものの他に、位置情報にＵＲＬを対応付けて路側装置から車載装置に提供し、ナビゲーション装置において、位置情報にＵＲＬが対応付けられた位置情報を記憶してもよい。そして、その位置情報とナビゲーション用プログラムからの位置情報を取得して、取得した位置情報と記憶されている位置情報とを比較し、一致する位置情報が存在する場合、そのＵＲＬの情報を路側装置へ要求してもよい。
【０１００】
この場合、その位置において自動的にＵＲＬへ接続するので、迅速に情報提供を行なうことができる。
【０１０１】
なお、上述のナビゲーション用プログラムで取得した位置情報と、記憶されている位置情報との比較において、その両者が完全に一致する必要はなく、記憶されている位置情報に対して所定の範囲に車載装置が入ったと判断された場合に、コンテンツファイルの起動、またはＵＲＬへの接続を行ってもよい。なお、位置情報は範囲を持たせてもよい。たとえば、コンテンツに対応付ける位置情報の緯度、経度それぞれに範囲を持たせてもよいし、２点以上の場所の緯度、経度によって囲まれる領域にコンテンツを対応付けてもよい。
【０１０２】
タイプＣの動作は、図６および図７に説明したタイプＡの動作とほぼ同様であるが、すでに一度通信エリアに入ったことがあり、再度通信エリアに入ったので、ステップ６１０、６１３で送付ＵＲＬのコンテンツファイル及び位置情報付きコンテンツファイルを記憶する時、既にある場合は、上書きされる。それ以外は、タイプＡと同様である。
【０１０３】
以上のように、タイプＣにおいても、非ＩＰ系通信とＩＰ系通信が混在して、非ＩＰ系で通信した後ＩＰ系で通信するため、すべてのＵＲＬを参照することができる。また、タイプＡにおいて記憶されたコンテンツファイルが既に存在する場合には上書きされ、存在していない場合には新たに記憶されるため、新たな情報が追加されることとなる。したがって、タイプＡにおける路側装置で送信した情報ではタイプＣにおけるエリアの簡単な情報（コンテンツファイル）までを送信しておき、タイプＣにおけるエリアの路側装置で詳細な情報（コンテンツファイル）を追加するといった情報提供を行なうことができる。
【０１０４】
図１４は、表示処理プログラム３５８の概要を示す図である。まず、この表示処理プログラム３５８により、コンテンツ情報外部ＩＦ起動プログラム３５６からの割り込みがあるかが判断される（ステップ１４０１）。
【０１０５】
ステップ１４０１において、コンテンツ情報外部ＩＦ起動プログラム３５６からの割り込みがあると判定した場合、外部ＩＦ起動プログラム３５６で指示された画面を表示し（ステップ１４０２）、ステップ１４０１に戻る。
【０１０６】
一方、ステップ１４０１において、コンテンツ情報外部ＩＦ起動プログラム３５６からの割り込みがないと判定した場合、位置情報によるコンテンツ情報起動プログラム３５７からの割り込みがあるかを判断する（ステップ１４０３）。
【０１０７】
ステップ１４０３において、位置情報によるコンテンツ情報起動プログラム３５７からの割り込みがあると判定した場合、位置情報によるコンテンツ情報起動プログラム３５７で指示された画面を表示し（ステップ１４０４）、ステップ１４０１に戻る。
【０１０８】
一方、ステップ１４０３において、位置情報によるコンテンツ情報起動プログラム３５７からの割り込みがないと判定した場合、ナビゲーション用プログラム３５１からの割り込みがあるかを判断する（ステップ１４０５）。
【０１０９】
ステップ１４０５において、ナビゲーション用プログラム３５１からの割り込みがあると判定した場合、ナビゲーション用プログラム３５１で指示された画面を表示し（ステップ１４０６）、ステップ１４０１に戻る。
【０１１０】
一方、ステップ１４０５において、ナビゲーション用プログラム３５１からの割り込みがないと判定した場合、インターネットブラウザ３５２からの割り込みがあるかを判断する（ステップ１４０７）。
【０１１１】
ステップ１４０７において、インターネットブラウザ３５２からの割り込みがあると判定した場合、インターネットブラウザ３５２で指示された画面を表示し（ステップ１４０８）、ステップ１４０１に戻る。
【０１１２】
一方、ステップ１４０７において、インターネットブラウザ３５２からの割り込みがないと判定した場合、ステップ１４０１に戻る。
【０１１３】
以上各指示された画面の表示は、マルチウインドウの場合、１番手前に画面が表示され、シングルウインドウの場合、画面が切り替わって表示される。
【０１１４】
以上のように、ナビゲーション装置はただディスプレーとして使用ではなく、画面の加工も可能である。
【０１１５】
このような本発明の実施形態の情報提供システムによれば、路側装置は非ＩＰ系通信により、通信エリアに進入した車両の有無に関する問い合わせ、及び、通信エリアに進入した車両がある場合には、通信エリアに進入した車両の車載装置との通信により、非要求型情報の送信を行なうことで、迅速に車載装置側へ情報提供を行なうことができる。
【０１１６】
また、非要求型情報で送信していない情報については、ＩＰ系通信により要求型情報として転送を行なう。これにより、非ＩＰ系とＩＰ系のコンテンツ情報ともに参照でき、Ｗｅｂサーバにアクセスすることもでき、車側のドライバに対する情報提供の自由度もあげることができる。
【０１１７】
さらに、路側装置は、位置情報とコンテンツ情報を対応付けて、車載側へ送信するので、コンテンツ情報に位置情報を対応付けて情報を提供することができる。また、ナビゲーション装置は、提供された位置情報と現在位置を比較して、現在位置と提供された位置情報のエリアに進入した場合に、対応付けられたコンテンツ情報を表示等の出力を行なうので、たとえば、狭域通信エリアから外れているときにおいても、情報提供を行なうことができる。
【０１１８】
なお、本実施形態では、コンテンツファイルのデータとして表示情報の通信を行なう場合について説明したが、表示情報に限られず、音声情報等や、それらの組み合わせた情報の通信を行ってもよい。また、ナビゲーションの情報出力形態として、表示情報の出力のほかに、音声情報等の出力またはそれらを組み合わせた出力が可能な構成としてもよい。
【０１１９】
また、本実施形態のタイプＢにおいて、位置情報によるコンテンツファイル起動を説明したが、この位置情報によるコンテンツファイルの起動は、路側装置による通信エリアに入っているときに行ってもよい。
【０１２０】
また、本実施形態では、車側の装置として、車載装置２０と、ナビゲーション装置３０とを備えた構成を例にとって説明したが、車載装置２０とナビゲーション装置３０とが一体化した構成としてもよい。
【産業上の利用可能性】
【０１２１】
本発明は、迅速な情報提供を行なうことが可能な効果を有し、情報提供システム、路側装置、車載装置、車載情報端末装置、および情報提供方法等に有用である。
【図面の簡単な説明】
【０１２２】
【図１】本発明の実施形態における情報提供システムのブロック図
【図２】路側装置の記憶部の記憶内容を示す図
【図３】ナビゲーション装置の記憶部の記憶内容を示す図
【図４】位置情報−コンテンツテーブルに記憶する位置情報およびその位置情報に対応するコンテンツの例を示す図
【図５】車両の状態を示す図
【図６】タイプＡの動作説明のためのフロー図
【図７】タイプＡの動作説明のためのフロー図
【図８】ナビゲーション装置の表示部に表示する表示画面の例を示す図
【図９】ナビゲーション装置の表示部に表示する表示画面の例を示す図
【図１０】ナビゲーション装置の表示部に表示するクリックしたＵＲＬのコンテンツの例を示す図
【図１１】タイプＢの動作説明のためのフロー図
【図１２】ナビゲーション装置の表示部に表示するコンテンツファイルが起動した後の表示画面の例を示す図
【図１３】位置情報によるコンテンツ情報起動プログラムの動作概要を示す図
【図１４】表示処理プログラムの概要を示す図
【符号の説明】
【０１２３】
１０  路側装置
１１、２１  アンテナ
１２、２２  無線部
１３、２３、３３  制御部
１４、２４、３４  外部ＩＦ
１５、３５  記憶部
１６、３６  操作部
１７、３２  表示部
２０  車載装置
２５  ＳＡＭ
２６  操作表示部
２７  ＩＣカード部
２８  ＩＣカード
３０  ナビゲーション装置
３１  位置情報検出部
４０  ルータ
【図１】
2005241258.tif 000003
【図２】
2005241258.tif 000004
【図３】
2005241258.tif 000005
【図４】
2005241258.tif 000006
【図５】
2005241258.tif 000007
【図６】
2005241258.tif 000008
【図７】
2005241258.tif 000009
【図８】
2005241258.tif 000010
【図９】
2005241258.tif 000011
【図１０】
2005241258.tif 000012
【図１１】
2005241258.tif 000013
【図１２】
2005241258.tif 000014
【図１３】
2005241258.tif 000015
【図１４】
2005241258.tif 000016